(57)【特許請求の範囲】
【請求項１】
収納部を収納キャビネットの内外で昇降可能に設置した昇降式収納装置における収納部の昇降支持装置であって、遊端部に収納部を連結した平行リンクを取付筐体にて枢支し、平行リンクの一方のリンクを枢支するとともに連動して回転する枢支軸を取付筐体内に突出させて取付筐体内で連動回転板を固定し、連動回転板と取付筐体との間に、収納部下降時の平行リンクの回動に伴う連動回転板の回動速度を抑制するように直動式ダンパーと引張又は圧縮バネ体を配設したことを特徴とする収納部昇降支持装置。
【請求項２】
収納部を収納キャビネットの内外で昇降可能に設置した昇降式収納装置における収納部の昇降支持装置であって、遊端部に収納部を連結した平行リンクを取付筐体にて枢支し、平行リンクの一方のリンクを枢支するとともに連動して回転する枢支軸を取付筐体内に突出させて取付筐体内で連動回転板を固定し、連動回転板と収納キャビネット内側面との間に、収納部下降時の平行リンクの回動に伴う連動回転板の回動速度を抑制するように直動式ダンパーと引張又は圧縮バネ体を配設したことを特徴とする収納部昇降支持装置。
【請求項３】
一方のリンクと枢支軸の連結部において、枢支軸に平行係合面を有する異径部を設け、一方のリンクに異径部が一定角度範囲で相対回転可能に嵌入係合するように直径方向両側にハ字状に広がる係合孔を形成したことを特徴とする請求項１又は２記載の収納部昇降支持装置。
【請求項４】
取付筐体を、収納キャビネットの内側面に取付けた取付基板に装着するように構成し、取付筐体の枢支軸貫通部に第１の軸受を嵌合し、取付基板の枢支軸の軸端に対応する位置に第２の軸受を嵌合し、枢支軸を第１と第２軸受にてその両端部を回転自在に支持したことを特徴とする請求項１又は２記載の収納部昇降支持装置。
【請求項５】
平行リンクの一方のリンクは枢支軸からさらに延長した延長部を備え、収納部の昇降端で延長部が係合するストッパを取付筐体に配設したことを特徴とする請求項１〜４の何れかに記載の収納部昇降支持装置。
【請求項６】
収納部を収納キャビネットの内外で昇降可能に設置した昇降式収納装置における収納部の昇降支持装置において、遊端部に収納部を連結した平行リンクを取付筐体にて枢支し、平行リンクの一方のリンクは枢支軸からさらに延長し、取付筐体に収納部の昇降端で一方のリンクが係合するストッパを配設し、このストッパを、取付筐体に固定される固定本体と、固定本体の外周に嵌合される環状の弾性体と、固定本体及び弾性体の外面をほぼ覆うとともに固定本体に一方のリンクの回動方向に移動可能に保持されたカバー板にて構成したことを特徴とする収納部昇降支持装置。
【発明の詳細な説明】
【０００１】
【発明の属する技術分野】
本発明は、厨房等において各種の物を収納する収納装置に関し、特に収納キャビネットの内外で収納部を昇降させるようにした昇降式収納装置における収納部の昇降支持装置に関するものである。
【０００２】
【従来の技術】
従来のこの種の収納装置における収納部昇降支持装置としては、例えば特開平７−１４８０３７号公報に開示されたもの等が知られている。その収納部昇降支持装置を図１４を参照して説明すると、収納キャビネット６０（図１５参照）の両側内面に取付基台６１を固定し、これら取付基台６１にてそれぞれ平行リンク６２を回動自在に枢支し、各平行リンク６２の遊端部を連結した装着板６３に収納部（図示せず）の両側面を取付けて構成されている。取付基台６１にはその裏面側に間隔をあけて取付板６４を固着し、平行リンク６２の一方のリンク６５ａと固定した枢支軸６６を取付基台６１と取付板６４を貫通させてそれらの軸受部にて回転自在に支持し、取付基台６１と取付板６４の間に枢支軸６６に固定した大歯車６７を配設している。取付板６４の裏面側に突出した枢支軸６６の端部外周に蔓巻バネ６８を配置し、その一端６８ａを取付板６４に固定した係止部材６９に係合させ、その他端６８ｂは一方のリンク６５ａと連動して大歯車６７が回転したときに大歯車６７に突設した押動ピン７０と係合するように構成されている。なお、収納部が収納キャビネット６０内に収容されている上昇端から適当角度の回動範囲は蔓巻バネ６８の他端６８ｂと押動ピン７０が係合しない遊び範囲となるようにして収納部を軽く動かせるようにしている。また、取付板６４の裏面にロータリーダンパ７１が取付けられ、その軸に固定したピニオン７２を大歯車６７に噛合させ、大歯車６７が一方のリンク６５ａと連動して回転したとき増速してロータリーダンパ７１を回転させるように構成されている。
【０００３】
また、両側の平行リンク６２の他方のリンク６５ｂの枢支軸７３は取付基台６１の軸受部にて回転自在に支持されるとともに取付基台６１表面から突出され、その突出部に連結軸７４の両端部が外嵌されてそれら貫通する連結ピン７５又はねじにて連結固定され、両側の平行リンク６２、６２が同期して回動するようにしている。
【０００４】
また、収納部をその昇降端位置で停止させる手段として、図１５に示すように、取付基台６５の表面に一方のリンク６５ａの側縁が両回動端で係合するようにストッパ７６を固定したものが知られている。そのストッパ７６は、本体金具７７の両側に形成した起立片７８に衝撃吸収体７９を一体固着し、さらに衝撃吸収体７９の表面に押圧板８０を一体固着してリンク６５ａ側縁の衝突による損傷を防止するように構成されている。
【０００５】
【発明が解決しようとする課題】
しかしながら、上記従来の収納部昇降支持装置の構成では、ロータリーダンパ７１にて効果的に緩衝機能を発揮させるために、大歯車６７とピニオン７２にてリンク６５ａの回動を増速させているので、構成が複雑でコスト高になるという問題があった。また、ロータリーダンパ７１は主としてオイルの粘性抵抗を利用して緩衝するものであるため、温度の影響を受け易く、雰囲気温度によって動作特性に大きなばらつきを生じてしまうという問題があった。
【０００６】
また、収納部の荷重を軽減するための付勢手段として枢支軸６６の外周に配設した蔓巻バネ６８を用いているが、収納部の荷重による大きなモーメントを十分に支持するのに必要な捩じりモーメントを比較的小さな巻径で得るには太い線径が必要になって製造設備が大掛かりになるとともにコスト高になり、さらに収納部の下降に伴うモーメントの変化に的確に対応する捩じりモーメントを得ることは困難であり、十分に緩衝機能を発揮できないという問題があった。
【０００７】
また、上記ストッパ７６の構成では、例えばインモールド成形等にて押圧板８０を一体的に固着した衝撃吸収体７９を製造し、この衝撃吸収体７９を本体金具７７に接着する等、多くの複雑な工程が必要であるためにコスト高になるとともに、接着等が剥がれる恐れがあって昇降端での停止時の緩衝機能維持に対する信頼性が低いという問題があった。
【０００８】
本発明は、上記従来の問題点に鑑み、安価に構成できかつ十分な緩衝効果が安定して得られる収納部昇降支持装置を提供することを目的としている。
【０００９】
【課題を解決するための手段】
本発明の収納部昇降支持装置は、遊端部に収納部を連結した平行リンクを取付筐体にて枢支し、平行リンクの一方のリンクを枢支するとともに連動して回転する枢支軸を取付筐体内に突出させて取付筐体内で連動回転板を固定し、連動回転板と取付筐体との間又は連動回転板と収納キャビネット内側面との間に、収納部下降時の平行リンクの回動に伴う連動回転板の回動速度を抑制するように直動式ダンパーと引張又は圧縮バネ体を配設した構成としている。
【００１０】
このように、オリフィスの流通抵抗により緩衝作用を得る直動式ダンパーとバネ体を、枢支軸に連結した連動回転板と取付筐体又は収納キャビネット内側面との間に介装しているので、ダンパーの動作特性の温度による影響が小さく、雰囲気温度が変化しても安定した動作特性が得られ、またバネ体として引張又は圧縮バネを用いることができるので大きなバネ荷重を容易に得ることができるとともに連動回転板との組合せにより収納部の下降運動に伴う回動モーメントの変化に対応するモーメントを容易に得ることができて最適な緩衝特性を実現することができ、さらに取付筐体内に配設した連動回転板に直動式ダンパーとバネ体を連結しているので、取付筐体外のリンクに対してこれら直動式ダンパーとバネ体を連結するように構成した場合に比して、取付筐体からリンクに対する連結ピンが突出せず、異物を噛み込んで動作不良を起こす恐れがなく、また外観もすっきりして見栄えが良く、さらにリンクと連動回転板の相対角度は任意に設定できるので、直動式ダンパーとバネ体のレイアウトを任意に設定でき、取付筐体の設計自由度が高くなる。
【００１１】
なお、バネ体を直動式ダンパー内に内蔵させたり、直動式ダンパーの出退軸の外周に巻回配置して、直動式ダンパーと一体的に組み合わせても良く、そうすると筐体サイズを小さくできるとともに、バネ体の引っかけ構造が不要となって部品点数を削減できる等の利点がある。
【００１２】
また、一方のリンクと枢支軸の連結部において、枢支軸に平行係合面を有する異径部を設け、一方のリンクに異径部が一定角度範囲で相対回転可能に嵌入係合するように直径方向両側にハ字状に広がる係合孔を形成すると、収納部が上昇端に位置する状態で上記一定角度範囲でダンパー機能を全く受けずに回動させることができ、ダンパー機能を必要としない上昇端近傍で収納部を軽く動かすことができる。また、枢支軸に異径部を加工し、リンクに係合孔を加工するだけでよく、係合部材と被係合部材等の部品を必要としないので、安価に構成することができる。
【００１３】
また、取付筐体を、収納キャビネットの内側面に取付けた取付基板に装着するように構成し、取付筐体の枢支軸貫通部に第１の軸受を嵌合し、取付基板の枢支軸の軸端に対応する位置に第２の軸受を嵌合することにより、枢支軸を第１と第２軸受にてその両端部を回転自在に支持することができ、十分な強度が得られて安定した動作を長期にわたって確保でき、しかも取付基板に軸受を設けたので、取付筐体側に支持板を固着して取付筐体と支持板にそれぞれ設けた軸受で枢支軸を両端支持する場合に比して取付筐体の構成が簡単になり、安価に構成することができる。
【００１４】
また、平行リンクの一方のリンクは枢支軸からさらに延長した延長部を備え、収納部の昇降端で延長部が係合するストッパを取付筐体に配設すると、収納部を昇降端で確実に停止させることができる。また、ストッパを、取付筐体に固定される固定本体と、固定本体の外周に嵌合される環状の弾性体と、固定本体及び弾性体の外面をほぼ覆うとともに固定本体に一方のリンクの回動方向に移動可能に保持されたカバー板にて構成すると、固定本体、弾性体及びカバー板はそれぞれ単純な部品であるため、生産性良く安価に製造することができてコスト低下を図れ、かつ長期にわたって安定した作用を得ることができる。
【００１５】
【発明の実施の形態】
以下、本発明の一実施形態について図１〜図１０を参照して説明する。
【００１６】
図１において、１はキッチン等の壁面上部に設置された収納キャビネット、２はこの収納キャビネット１に、その内部に収容した状態（一点鎖線で示す）と外部の前方下部に引き出した状態（仮想線で示す）との間で昇降可能に装着された収納部である。収納部２は、例えば両側板と複数段の網かごと前端下部のハンドルを備えた収納ラック等にて構成されている。収納キャビネット１の両側内面には平行リンク４を有する昇降支持装置３が配設され、これら昇降支持装置３にて収納部２が上記のように昇降可能に支持されている。なお、収納部２は、実線で示すように平行リンク４が直立した位置で最も高く位置するが、収納部２を安定した状態で収容するために、その位置からさらに略１０度程度後側に回動した一点鎖線で示す状態で収納キャビネット１に完全に収容されるように構成してあり、本明細書ではこの位置を収納部２の上昇端と規定し、仮想線で示す状態を下降端と規定する。
【００１７】
昇降支持装置３は、図２に示すように、平行リンク４を構成する前側リンク５ａと後側リンク５ｂの各々の基端部を取付筐体６にて枢支しており、それらリンク５ａ、５ｂの遊端部が収納部２の両側面に固定した連結板７に枢着されている。両昇降支持装置３、３の前側リンク５ａの基端部は連動連結軸８にて互いに結合され、両昇降支持装置３、３の平行リンク４、４が互いに同期して回動するように構成されている。また、後側リンク５ｂには基端部からさらに延長した延長部９が形成されている。取付筐体６の外側面には、収納部２の上昇端で後側リンク５ｂの基端部近傍の後側縁が係合し、収納部２の下降端で延長部９の後側縁が係合するように全体形状が略三角形状のストッパ１０が固定され、収納部２の昇降端をこのストッパ１０にて規制するように構成されている。
【００１８】
後側リンク５ｂを枢支するとともにこの後側リンク５ｂと連動して回転する枢支軸１１が取付筐体６内に突出され、図３に示すように、取付筐体６内でこの枢支軸１１に連動回転板１２が固着されている。連動回転板１２の一端部１２ａに取付けたバネ掛け１３と取付筐体６の上部前端に設けたバネ掛け突起１４との間に引張バネ１５が介装され、連動回転板１２の他端部１２ｂに設けた支軸ピン１６と取付筐体６の上部後端部に設けた支軸ピン１７との間に直動式ダンパ１８が介装されている。前側リンク５ａの基端部には枢支ピン１９が固定され、この枢支ピン１９が取付筐体６に設けられた軸受部２０にて回転自在に支持されている。
【００１９】
取付筐体６は、図４に示すように、収納キャビネット１の内側面側が開口された浅い方形箱体から成り、収納キャビネット１の内側面に取付けられる取付基板２１に装着するように構成されている。取付基板２１はその前側縁と後側縁から結合片２２ａ、２２ｂが立ち上げ形成され、取付筐体６の前側壁と後側壁の内面に重合するように構成されている。前側の結合片２２ｂの端縁からは取付片２３が後側に向けて折曲形成されている。一方、取付筐体６の内側上端部には、前端と後端に取付筐体６の前側壁と後側壁に重合する結合板部２５ａ、２５ｂを折曲形成されたコ字状の支板２４が固定され、この支板２４の下端が取付基板２１の上端に当接して上下方向に支持されるように構成されている。取付基板２１の結合片２２ａ、２２ｂの上端にはその先端部分に突出部２６が形成され、支板２４の結合板部２５ａ、２５ｂの下端の先端部分には突出部２６よりも幅の広い凹部２７が形成されており、図５に示すように、取付筐体６を取付基板２１の結合片２２ａ、２２ｂの先端部に嵌合させて矢印ａの如く降ろし、支板２４の結合板部２５ａ、２５ｂの下端を結合片２２ａ、２２ｂの上端に当接させて支持し、その後矢印ｂの如く取付筐体６を押し込むことにより、取付基板２１に取付筐体６を装着するように構成されている。
【００２０】
支板２４の結合板部２２ａには、一部が切り起こされてバネ掛け突起１４が形成されている。また、取付筐体６と支板２１の上端後端部に支軸ピン１７の両端部を嵌入係合させて取付ける取付穴２６ａ、２６ｂが形成されている。また、図６、図７にも示すように、取付筐体６の下部の前後方向略中央部には、枢支軸１１を回転自在に支持する軸受２７が嵌合固定され、取付基板２１の対応した位置には、有底軸受２８がその裏面側から装着して嵌合固定されている。
【００２１】
図６、図７において、平行リンク５の後側リンク５ｂを枢支する枢支軸１１には、取付筐体６から突出した先端部に互いに平行な係合面を有する異径部２９が形成され、後側リンク５ｂの枢支軸１１との連結部には異径部２９が一定角度範囲（±略１０度の範囲）で相対回転可能に嵌入係合するように直径方向両側にハ字状に広がる係合孔３０が形成されている。この異径部２９と係合孔３０の回転方向の位置は、後側リンク５ｂが直立状態から±略１０度の範囲で枢支軸１１及び連動回転板１２に対して連動せずにフリーに回動できるように設定され、収納部２が収納キャビネット１内に完全に収容された上昇端から略２０度引き出す間は引張バネ１５も直動式ダンパ１８も作用せず、その結果収納部２を軽く引き出すことができるように構成されている。
【００２２】
そして、枢支軸１１を取付筐体６の内側から軸受２７に挿通し、軸受２７から外部に突出した異径部２９に後側リンク５ｂの係合孔３０を嵌合させ、座金３１、バネ座金３２を介して取付ねじ３３を枢支軸１１の軸端ねじ穴３４に螺合することにより、後側リンク５ｂと連動回転板１２が固定された枢支軸１１とが取付筐体６に組み付けられている。この取付筐体６を上記のように取付基板２１に対して上方から降ろして位置決め支持した状態で収納キャビネット１の内側面に向けて押し込むことにより、枢支軸１１の先端部が取付基板２１に装着した有底軸受２８に嵌入し、枢支軸１１が軸受２７と有底軸受２８にて両端支持される。
【００２３】
３５は直動式ダンパ１８の基端部１８ａと連動回転板１２との間隔を保持するスペーサ、３６は座金、３７は抜け止め用スナップリングである。３８ａ、３８ｂは直動式ダンパ１８の先端部１８ｂの位置決め用スペーサである。３９は連動回転板１２の一端部１２ａに突設されたバネ掛け１３の取付ピンである。
【００２４】
ストッパ１０は、図８、図９に示すように、取付筐体６に固定される略三角形状の固定本体４０と、固定本体４０の外周に嵌合されるブチルゴムなどの環状の弾性体４１と、固定本体４０及び弾性体４１の上面と、後側リンク５ｂと延長部９の側縁が係合する両側面とをほぼ覆う断面形状コ字状のカバー板４２にて構成されている。固定本体４０の上面には、カバー板４２の板厚よりも若干高い複数の取付ボス４３が突出され、この取付ボス４３の部分に取付穴４４が貫通形成され、カバー板４２にはこの取付ボス４３が嵌入係合する長孔４５が形成されている。長孔４５はリンク５ｂの衝突による弾性体４１の圧縮方向に長い円弧状に形成されている。固定本体４０の下面からは複数の支承突起４６が突設され、取付筐体６に穿孔した受穴４７に嵌入係合させて固定本体４０に加わった荷重を円滑に取付筐体６に伝達するように構成されている。４８は取付ボルトで、バネ座金４９、座金５０を介して取付穴４４に挿通して取付筐体６に螺合させ、固定本体４０を取付筐体６に固定するとともに、座金５０にてカバー板４２の離脱を防止している。図９において、５１は取付筐体６の強度を保持するために裏面に固着した補強板である。
【００２５】
以上の構成の収納部昇降支持装置において、収納部２を収納キャビネット１内からその前方下部に引き出す場合、前端下端部のハンドル（図示せず）を手前に引くと、上記のように上昇端から略２０度の範囲では引張バネ１５も直動式ダンパ１８も作動しないように構成されているので、収納部２を軽く引き出すことができ、その後平行リンク４が前方に向けて回動するのに伴って収納部２はその自重による回動モーメントにより加速度的に下降し始めるが、その回動モーメントを相殺するように連動回転板１２と引張バネ１５による逆向きの回動モーメントが作用し、さらに直動式ダンパ１８によってその回動速度が抑制されるため、収納部２はゆっくりと下降端まで下降する。下降端になると、リンク５ｂの延長部９の側縁がストッパ１０に衝突して平行リンク４の回動が停止し、収納部２はその位置で停止・支持される。また、その衝突時の衝撃はカバー板４２を介して弾性体４１にて緩衝されるので、過大な衝撃荷重は吸収される。
【００２６】
この収納部２の下降に際して、オリフィスの流通抵抗により緩衝作用を得る直動式ダンパー１８と引張バネ１５と枢支軸１１に連結した連動回転板１２を組み合わせて用いているので、ダンパの動作特性の温度による影響が小さく、雰囲気温度が変化しても安定した動作特性が得られ、また引張バネ１５は大きなバネ荷重を容易に得ることができるとともに連動回転板１２との組合せにより収納部２の下降運動に伴う回動モーメントの変化に対応するモーメントを容易に得ることができて最適な緩衝特性を実現することができる。
【００２７】
一方、収納部２を上昇させて収納キャビネット１内に収容する場合にも、収納部２の荷重による回転モーメントが引張バネ１５の付勢力により相殺され、かつ直動式ダンパー１８はワンウェイ機構により上昇時の抵抗は殆どなくなるので、比較的軽く上昇させて収容することができる。上昇端においてもリンク５ｂの側縁がストッパ１０に衝突して同様に緩衝停止され、その位置で支持される。
【００２８】
そして、本実施形態の構成によれば、取付筐体６内に連動回転板１２と引張バネ１５と直動式ダンパー１８を配設しているので、リンク５ｂと連動回転板１２の相対角度は、図示例のようにほぼ平行に配設したものに限定されるものではなく、例えば図１０に示すように、リンク５ｂに対して連動回転板１２を適当に傾斜させて配設することによって、取付筐体６の高さ寸法をコンパクトにすることもでき、引張バネ１５と直動式ダンパー１８のレイアウト及び取付筐体６の設計自由度が高くなる。
【００２９】
また、上記のようにリンク５ｂと枢支軸１１との間に適当な角度範囲の遊びを設けるのに、枢支軸１１に異径部２９を加工し、リンク５ｂに係合孔３０を加工した構成とすることにより、枢支軸１１に係合部材を設け、リンク５ｂに被係合部材を固着するような構成に比して部品点数が少なくて済み、安価に構成することができる。
【００３０】
また、枢支軸１１を取付筐体６に装着した軸受２８と取付基板２１に装着した有底軸受２８で両端支持するようにしているので、十分な支持強度が得られて安定した動作が長期にわたって確保され、しかも取付基板２１側に有底軸受２８を装着したことにより、取付筐体６側に有底軸受２８を装着するための別の支持板を設ける必要がなく、取付筐体６の構成が簡単になり、安価に構成することができる。
【００３１】
また、上記ストッパ１０を固定本体４０とその外周に嵌合させた環状の弾性体４１とそれらの外面を覆いかつリンク５ｂの回動方向に移動可能に保持したカバー板４２にて構成しているため、これら各部品が単純な部品となって生産性良く安価に製造することができてコストが低下し、かつ接着していないために衝撃を受けても剥がれたり恐れがなく、長期にわたって安定した作用を得ることができる。
【００３２】
次に、本発明の他の実施形態の収納部昇降支持装置を図１１を参照して説明する。なお、上記実施形態と同一の構成要素については同一参照符号を付して説明を省略し、相違点のみを説明する。
【００３３】
上記実施形態では引張バネ１５を用いて直動式ダンパー１８とは別々に配置したが、本実施形態では圧縮バネ５２を用い、直動式ダンパー１８の本体内に内蔵させている。それに伴って、バネ体の配置空間を確保する必要が無くなるので取付筐体６のサイズを小さくすることができ、特に図示の如く前部の上部をカットした形状にするとリンク５ａ、５ｂの回動時に取付筐体６と擦れる恐れが少なくなり、機能上も見栄えの上でも好ましい。また、バネ体の引掛け構造が不要となるので、部品点数を削減することができる。さらに、圧縮バネ５２を直動式ダンパー１８の本体内に配置することにより、バネに対する錆止め処理が不要となってコスト低下を図ることができるとともに、圧縮バネ５２の体積分直動式ダンパー１８のオイル量も少なくすることができる。
【００３４】
なお、図示は省略しているが、バネ体のバネ荷重をさらに大きくしたいときには、さらに直動式ダンパー１８の本体と先端部１８ｂとの間の出退軸の外周にも圧縮バネを巻回配置してもよい。
【００３５】
次に、本発明のさらに別の実施形態の収納部昇降支持装置を図１２、図１３を参照して説明する。なお、上記実施形態と同一の構成要素については同一参照符号を付して説明を省略し、相違点のみを説明する。
【００３６】
本実施形態では、図１２に示すように、圧縮バネ５２を内蔵した直動式ダンパー１８の先端部１８ｂを取付筐体６の上壁を貫通させて外部に突出させ、収納キャビネット１の内側面に取付けた受金具５３に係合させて連結している。受金具５３は、図１３に示すように、取付板５４の上縁中央部から倒立Ｌ字状に支片５４ａが突設され、この支片５４ａの先端と取付板５４にて支持ピン５５の両端が固定支持されている。一方、直動式ダンパー１８の先端部１８ｂには、支持ピン５５に下方から外嵌して係合するＵ字状の係合部材５６が設けられている。係合部材５６の先端部５６ａは上方に向けてハ字状に開き、容易に支持ピン５５に嵌合させることができるようになされている。５６ｂは補強リブである。
【００３７】
このように、圧縮バネ５２を内蔵した直動式ダンパー１８の上部を取付筐体６の上部に突出させれば、取付筐体６をさらにコンパクトな構成とすることができる。その場合、取付筐体６を収納キャビネット１の内側面に取付けるときに、一体的に組み込んだ直動式ダンパー１８の先端部１８ｂを同時に収納キャビネット１の内側面に取付ける必要があるが、本実施形態の構成によれば受金具５３を予め収納キャビネット１の内側面に取付けておけば、係合部材５６を支持ピン５５に嵌合させるだけで簡単に取付けることができ、取付筐体６の取付作業時に不都合を生じることもない。
【００３８】
なお、上記各実施形態ではリンク５ｂと枢支軸１１との連結部に異径部２９と係合孔３０から成る遊び構造を設けたが、枢支軸１１と連動回転板１２との連結部に同様の遊び構造を設けてもよい。
【００３９】
【発明の効果】
本発明の収納部昇降支持装置によれば、以上の説明から明らかなように、オリフィスの流通抵抗により緩衝作用を得る直動式ダンパーと引張又は圧縮バネ体を、枢支軸に連結した連動回転板と取付筐体との間又は連動回転板と収納キャビネット内側面との間に介装しているので、ダンパーの動作特性の温度による影響が小さく、雰囲気温度が変化しても安定した動作特性を得ることができ、またバネ体として引張又は圧縮バネを用いているので大きなバネ荷重を容易に得ることができ、さらに連動回転板との組合せにより収納部の下降運動に伴う回動モーメントの変化に対応するモーメントを容易に得ることができて最適な緩衝特性を実現することができ、さらに取付筐体内に配設した連動回転板と取付筐体との間又は連動回転板と収納キャビネット内側面との間に直動式ダンパーと引張又は圧縮バネ体を配設しているので、取付筐体からリンクに対する連結ピン等が突出せず、外観がすっきりして見栄えが良く、また異物を噛み込んで動作不良を起こす恐れもなく、さらにリンクと連動回転板の相対角度を任意に設定できるので、直動式ダンパーとバネ体のレイアウトを任意に設定でき、取付筐体の設計自由度が高くなる。また、直動式ダンパーとバネ体を一体的に組み合わせた場合、筐体サイズを小さくできるとともに、バネ体の引っかけ構造が不要となって部品点数を削減でき、かつ筐体サイズが小さくなることによって筐体にリンクが擦れる恐れが少なくなり、さらに直動式ダンパーの先端を筐体から突出させて収納キャビネットの内側面に結合することもでき、そうすることにより一層筐体サイズを小さくすることができる。
【００４０】
また、一方のリンクと枢支軸の連結部において、枢支軸に平行係合面を有する異径部を設け、一方のリンクに異径部が一定角度範囲で相対回転可能に嵌入係合するように直径方向両側にハ字状に広がる係合孔を形成すると、収納部が上昇端に位置する状態で上記一定角度範囲でダンパ機能を全く受けずに回動させることができ、ダンパ機能を必要としない上昇端で収納部を軽く動かすことができる。また、枢支軸に異径部を加工し、リンクに係合孔を加工するだけでよく、係合部材と被係合部材等の部品を必要としないので、安価に構成することができる。
【００４１】
また、取付筐体を、収納キャビネットの内側面に取付けた取付基板に装着するように構成し、取付筐体の枢支軸貫通部に第１の軸受を嵌合し、取付基板の枢支軸の軸端に対応する位置に第２の軸受を嵌合することにより、枢支軸を第１と第２軸受にてその両端部を回転自在に支持することができ、十分な強度が得られて安定した動作を長期にわたって確保でき、しかも取付基板に軸受を設けたので、取付筐体側に支持板を固着して取付筐体と支持板にそれぞれ設けた軸受で枢支軸を両端支持する場合に比して取付筐体の構成が簡単になり、安価に構成することができる。
【００４２】
また、収納部の昇降端で一方のリンクが係合するストッパを、取付筐体に固定される固定本体と、固定本体の外周に嵌合される環状の弾性体と、固定本体及び弾性体の外面をほぼ覆うとともに固定本体に一方のリンクの回動方向に移動可能に保持されたカバー板にて構成すると、固定本体、弾性体及びカバー板はそれぞれ単純な部品であるため、生産性良く安価に製造することができてコスト低下を図れ、かつ長期にわたって安定した作用を得ることができる。
【図面の簡単な説明】
【図１】本発明の一実施形態の収納部昇降支持装置を適用した収納キャビネットを示し、（ａ）は全体側面図、（ｂ）は中央部を省略して示した全体正面図である。
【図２】同実施形態の収納部昇降支持装置を示し、（ａ）は図１（ｂ）のＡ−Ａ矢視断面図、（ｂ）は（ａ）のＢ−Ｂ矢視図である。
【図３】同実施形態の収納部昇降支持装置における取付筐体内の構造を示し、図１（ｂ）のＣ−Ｃ矢視拡大断面図である。
【図４】同実施形態の収納部昇降支持装置における取付筐体の分解斜視図である。
【図５】同実施形態の収納部昇降支持装置における取付筐体の装着状態を示す要部の縦断側面図である。
【図６】同実施形態の収納部昇降支持装置の要部の分解斜視図である。
【図７】同実施形態の収納部昇降支持装置の要部の縦断側面図である。
【図８】同実施形態の収納部昇降支持装置のストッパの分解斜視図である。
【図９】同実施形態の収納部昇降支持装置のストッパの縦断面図である。
【図１０】同実施形態の収納部昇降支持装置における取付筐体内の構造の変形例を示す図３と同様の断面図である。
【図１１】本発明の他の実施形態の収納部昇降支持装置における取付筐体内の構造を示す図３と同様の断面図である。
【図１２】本発明の更に別の実施形態の収納部昇降支持装置における取付筐体内の構造を示す図３と同様の断面図である。
【図１３】同実施形態における直動式ダンパーの収納キャビネット内側面に対する結合部の分解斜視図である。
【図１４】従来例の収納部昇降支持装置の要部の構成を示す斜視図である。
【図１５】他の従来例の収納部昇降支持装置におけるストッパの構成を示す縦断側面図である。
【符号の説明】
１  収納キャビネット
２  収納部
３  昇降支持装置
４  平行リンク
５ａ  前側リンク
５ｂ  後側リンク
６  取付筐体
９  延長部
１０  ストッパ
１１  枢支軸
１２  連動回転板
１５  引張バネ（バネ体）
１８  直動式ダンパ
２１  取付基板
２７  軸受（第１の軸受）
２８  有底軸受（第２の軸受）
２９  異径部
３０  係合孔
４０  固定本体
４１  弾性体
４２  カバー体
５２  圧縮バネ（バネ体）
【図１】
0003748613.tif 000002
【図２】
0003748613.tif 000003
【図３】
0003748613.tif 000004
【図４】
0003748613.tif 000005
【図５】
0003748613.tif 000006
【図６】
0003748613.tif 000007
【図７】
0003748613.tif 000008
【図８】
0003748613.tif 000009
【図９】
0003748613.tif 000010
【図１０】
0003748613.tif 000011
【図１１】
0003748613.tif 000012
【図１２】
0003748613.tif 000013
【図１３】
0003748613.tif 000014
【図１４】
0003748613.tif 000015
【図１５】
0003748613.tif 000016